(57)【要約】【課題】  プラテンガラス上に載置された原稿の読み取り動作と、自動原稿送り手段を通した原稿の読み取り動作とで、原稿の裏写り防止用の背景板をプラテンガラスに接触させることなく切替可能とする画像読取装置を提供することである。【解決手段】  原稿を平面状に読み取るための読取エリアを有するプラテンガラス６と、該プラテンガラス６上に設けられ、原稿を前記読取エリアに向けて搬送するＡＤＦ３と、原稿を読み取る際に、前記読取エリアの全体又は一部を除いて覆う背景切替手段４０とを備えた画像読取装置において、前記背景切替手段４０は、前記読取エリアに対応した背景板９を有し、該背景板９が読取エリアの全体を覆う位置と、読取エリアの一部を除いて覆う位置との間でスライド移動可能に配置されると共に、前記背景板９がプラテンガラス６上に当接する位置と、プラテンガラス６上から離間する位置とを規制する規制手段６０を設けた。【選択図】      図４
2015216559.tif 000002
【特許請求の範囲】
【請求項１】
原稿を平面状に読み取るための読取エリアを有するプラテンガラスと、該プラテンガラス上に設けられ、原稿を前記読取エリアに向けて搬送する原稿送り手段と、原稿を読み取る際に、前記読取エリアの全体又は一部を除いて覆う背景切替手段とを備えた画像読取装置において、
前記背景切替手段は、前記読取エリアに対応した背景板を有し、該背景板が読取エリアの全体を覆う位置と、読取エリアの一部を除いて覆う位置との間でスライド移動可能に配置されると共に、
前記背景板がプラテンガラス上に当接する位置と、プラテンガラス上から離間する位置とを規制する規制手段を備えていることを特徴とする画像読取装置。
【請求項２】
前記規制手段は、前記原稿送り装置に設けられ、一端から他端に向けて高低差を有して延びるガイド孔と、前記背景板に設けられ、前記ガイド孔に沿って摺動するガイドピンとによって構成され、前記ガイド孔の低い位置にガイドピンが摺動した際に背景板がプラテンガラス上に当接し、前記ガイド孔の高い位置にガイドピンが摺動した際に背景板がプラテンガラスから離間する請求項１に記載の画像読取装置。
【請求項３】
前記ガイド孔は、前記背景板をスライド移動させる距離に合わせて形成され、低い位置から次第に上昇し、所定の高さから水平方向に延びる軌道を有して形成されている請求項２に記載の画像読取装置。
【請求項４】
前記プラテンガラスには、原稿の長さ方向及び幅方向に対応した前記読取エリアの全体を読み取り範囲とする面状読取部と、原稿の幅方向に対応した読取エリアの一部を読み取り範囲とする線状読取部とが設定されている請求項１に記載の画像読取装置。
【請求項５】
前記背景切替手段は、前記原稿送り手段と連動し、該原稿送り手段によって原稿を送り出す際に、前記背景板が前記読取エリアの全体を覆う位置から読取エリアの一部を除いて覆う位置に移動する請求項１に記載の画像読取装置。
【請求項６】
前記背景切替手段は、前記原稿送り手段に設けられる搬送モータを駆動源とし、この搬送モータの回転を制御することによって、前記背景板をスライド移動させる請求項１に記載の画像読取装置。
【請求項７】
前記背景板には、前記プラテンガラス上の読取エリアに対応する部分の外側に突起部が設けられる一方、前記プラテンガラスの読取エリアの外側には前記突起部が係合する凹部が設けられ、前記突起部によって、背景板をプラテンガラスから離間した状態でスライド移動し、突起部を凹部に係合した際に背景板をプラテンガラスに当接する請求項１に記載の画像読取装置。
【発明の詳細な説明】
【技術分野】
【０００１】
本発明は、自動原稿送り手段を搭載した画像読取装置に関する。
【背景技術】
【０００２】
従来、複写機やスキャナなどには、原稿の画像を読み取るための画像読取装置を備えている。この画像読取装置は、原稿の読取エリアが設定されたプラテンガラス上に原稿の読取面を載置して読み取りを行う面状（シート）読取部と、給紙トレイにセットされた原稿を自動原稿送り手段（ＡＤＦ）を通して読み取りを行う線状（ライン）読取部とを備えたものが多い。前記ライン読取部は、ＡＤＦの原稿搬送経路上に設けられている。また、前記シート読取部及びライン読取部には、原稿の裏写りを防止するための背景板を備えている。
【０００３】
上記画像読取装置では、シート読取部及びライン読取部がプラテンガラス上及び原稿搬送経路上でそれぞれ独立しているが、前記シート読取部の一部をライン読取部として使用するタイプの画像読取装置も知られている。このようなタイプの画像読取装置では、シート読取部とライン読取部とで読み取る際の原稿の裏写りを防止する背景板を前記プラテンガラス上でスライド移動させる構成になっている。
【０００４】
特許文献１では、白地部（遮光部）の一部に透光部を有した背景板をプラテンガラス上に沿ってスライド移動可能としたＡＤＦが開示されている。このＡＤＦによって原稿を自動送りして読み取る際には透光部がライン読取部を露出する位置へ移動し、プラテンガラス上に載置した原稿をシート読取部で読み取る際には遮光部が前記ライン読取部を含むシート読取部全体をカバーする位置に移動するようになっている。
【先行技術文献】
【特許文献】
【０００５】
【特許文献１】特開２０１１−１１９８１７号公報
【発明の概要】
【発明が解決しようとする課題】
【０００６】
上記特許文献１のような画像読取装置にあっては、遮光性を有する背景板の一部に透光部が設けられ、ＡＤＦによって自動送りされた原稿を読み取る際には、前記透光部がライン読取部に位置するようにスライドし、プラテンガラス上に載置された原稿を読み取る際には、前記ライン読取部を遮光する位置にスライドすることで、各種の読取動作に応じた背景処理が一枚の背景板によって可能となっている。しかしながら、前記背景板はプラテンガラスに当接した状態でスライド移動する構成となっているため、読取動作に応じて背景板をスライドさせる際に、プラテンガラスとの間に摩擦が生じ、プラテンガラスの表面に埃が付着したり、傷が付いたりするおそれがあり、それによって原稿の読み取り品質が低下する原因となっていた。
【０００７】
そこで、本発明は、プラテンガラス上に載置された原稿の読み取り動作と、自動原稿送り手段を通した原稿の読み取り動作とで、原稿の裏写り防止用の背景板をプラテンガラスに接触させることなく切替可能とする画像読取装置を提供することを目的とする。
【課題を解決するための手段】
【０００８】
上記課題を解決するために、本発明の画像読取装置は、原稿を平面状に読み取るための読取エリアを有するプラテンガラスと、該プラテンガラス上に設けられ、原稿を前記読取エリアに向けて搬送する原稿送り手段と、原稿を読み取る際に、前記読取エリアの全体又は一部を除いて覆う背景切替手段とを備えた画像読取装置において、前記背景切替手段は、前記読取エリアに対応した背景板を有し、該背景板が読取エリアの全体を覆う位置と、読取エリアの一部を除いて覆う位置との間でスライド移動可能に配置されると共に、前記背景板がプラテンガラス上に当接する位置と、プラテンガラス上から離間する位置とを規制する規制手段を備えていることを特徴とする。
【発明の効果】
【０００９】
本発明の画像読取装置によれば、プラテンガラス上での原稿の読み取り動作と、原稿送り手段を通しての原稿の読み取り動作とで、背景板をプラテンガラスに接触させることなく離間した状態で切替可能となる。これによって、プラテンガラスの表面に埃が付着したり、傷が付いたりするおそれがなく、原稿の背景処理を確実にすると共に、読み取り品質を向上させることができる。
【図面の簡単な説明】
【００１０】
【図１】本発明に係る画像読取装置の断面図である。
【図２】上記画像読取装置の原稿台の平面図である。
【図３】上記画像読取装置における背景切替手段の構成を示す断面図である。
【図４】上記背景切替手段におけるシート読取動作（ａ）及びライン読取動作（ｂ）を示す断面図である。
【図５】上記背景切替手段の構成を示す斜視図である。
【図６】シート読取動作（ａ）及びライン読取動作（ｂ）における背景切替手段の断面図である。
【図７】上記背景切替手段の背景板がプラテンガラスに当接する状態を示す説明図である。
【発明を実施するための形態】
【００１１】
以下、本発明に係る画像読取装置の実施形態を詳細に説明する。図１に示すように、本発明の画像読取装置１は、画像読取部４を有する本体部２と、この本体部２の上方に開閉可能に取り付けられる原稿送り手段（ＡＤＦ）３とによって構成されている。
【００１２】
前記画像読取部４は、前記本体部２の原稿台１２上に嵌め込み固定される透明なプラテンガラス６と、このプラテンガラス６の下面に沿って移動可能に配置される読取キャリッジ５とを備える。前記読取キャリッジ５には、ランプなどの光源１０を備え、周辺には、複数のミラー１１、レンズ１６、ＣＣＤなどの光電変換素子１７等が配置されている。
【００１３】
図２に示すように、前記プラテンガラス６には、原稿の長さ方向及び幅方向に対応した平面状の読取エリアＥが設けられている。この読取エリアＥには、副走査方向Ｘに延びる面状（シート）読取部７と、主走査方向Ｙに延びる線状（ライン）読取部８とが設定されている。前記シート読取部７ではプラテンガラス６上に載置された原稿を前記読取キャリッジ５が移動することによって読み取り、前記ライン読取部８では前記ＡＤＦ３によって搬送されてくる移動原稿を前記読取キャリッジ５が固定した状態で読み取ることができる。
【００１４】
前記ＡＤＦ３は、図１及び図３に示したように、複数枚の原稿を載置可能な給紙トレイ２０と、読取処理の終了した原稿を収納する排紙トレイ２２と、前記給紙トレイ２０上にセットされる複数枚の原稿から１枚ずつ給紙する給紙路２３と、この給紙路２３からプラテンガラス６を経由して延びる読取搬送路２４と、この読取搬送路２４から排紙トレイ２２の排紙口に連なる排紙路２５とからなる原稿送り手段を備える。
【００１５】
前記原稿送り手段には、前記給紙トレイ２０から原稿を繰り出すための繰出ローラ２７と、繰り出された原稿を給送する給紙ローラ２８と、この給紙ローラ２８に圧接して原稿を１枚ずつ分離した後、原稿の先端を突き当てて整合した後に画像読取部４に向けて送り出すレジストローラ対３０とを備える。
【００１６】
前記読取搬送路２４には、プラテンガラス６の上流側に配置される第１リードローラ対３２と、下流側に配置される第２リードローラ対３３と、前記第１リードローラ対３２とび第２リードローラ対３３の間に設けられ、前記プラテンガラス６を通過する原稿をすくい上げるための透明なマイラー２６とを備えている。また、前記排紙路２５には排紙ローラ３４対が設けられている。
【００１７】
図１に示したように、原稿が通過する各所には各種のセンサが設けられている。これらのセンサは、繰出ローラ２７の近傍に設けられ、原稿の先端部を検出するセットセンサＳ１と、このセットセンサＳ１の下流側に設けられ、原稿が画像読取部４に向けて搬送可能であるかの判定を行うレジストセンサＳ２と、このレジストセンサＳ２の下流側に設けられるリードセンサＳ３、さらにその下流側に設けられる排紙センサＳ４とで構成されている。
【００１８】
図３は前記ＡＤＦ３の断面構造を示したものである。このＡＤＦ３には、プラテンガラス６上に載置された原稿をプラテンガラス６に圧接させると共に、前記原稿の裏写りを防止するための背景板９が設けられている。この背景板９は、前記プラテンガラス６の略全体を覆い、原稿の裏面に当接する部分が白色系の遮光面となっている。
【００１９】
図４（ａ）に示すように、前記シート読取部７（図２参照）によって原稿を読み取る際には、前記背景板９がシート読取部７の全体を覆う。また、図４（ｂ）に示すように、ＡＤＦ３から搬送されてくる原稿を読み取る際には、ライン読取部８（図２参照）に設定された範囲のプラテンガラス６が露出するように前記背景板９がスライド移動する。
【００２０】
図３に示したように、ＡＤＦ３には前記背景板９を備えた背景切替手段４０が設けられ、前記シート読取部７全体を覆う位置と、ライン読取部８に設定される部分が露出する位置との間で前記背景板９をスライド移動すると共に、このスライド移動の際にプラテンガラス６に接しないように離間させることができる。
【００２１】
前記背景切替手段４０は、図５及び図６に示すように、駆動源として、ＡＤＦ３に備わる搬送モータ４１を利用しており、この搬送モータ４１の主軸４２の回転力を減速させながら伝達する複数のギア４３，４４，４５と、ギア４５と同軸回転上に設けられるカム４６と、このカム４６の回転に連動するシャフト４７とを備え、該シャフト４７の先端が背景板９の取付板５４に連結されている。
【００２２】
前記ギア４５を経由することで、カム４６を回転させることができる。そして、このカム４６の回転によって、シャフト４７が左右に搖動することで、取付板５４を介して吊り下げ支持されている背景板９をプラテンガラス６上でスライド移動させることができる。
【００２３】
また、前記背景切替手段４０には、前記シャフト４７の搖動範囲を規制することで、背景板９をプラテンガラス６から浮かせるように離間した状態でスライド移動させるための規制手段６０が設けられている。この規制手段６０は、図４に示したように、ＡＤＦ３を収容する側板５２に設けられるガイド孔５３と、背景板９の外周部に設けられ、前記側板５２に当接するガイド板５１と、このガイド板５１から突出し、前記ガイド孔５３に沿って摺動可能なガイドピン５０とからなっている。前記ガイド孔５３は、前記背景板９をスライド移動させる距離に合わせて形成され、前記プラテンガラス６のライン読取部８に近い方の一端部５３ａが低く、ライン読取部８から遠ざかるにしたがって上昇し、ある高さから水平方向に延びて他端部５３ｂに至る軌道を有して形成されている。
【００２４】
図４（ａ）に示したように、前記ガイド孔５３の端部５３ａにガイドピン５０が摺動した際には、ライン読取部８を含むプラテンガラス６の全面に背景板９が当接し、この状態から前記ガイド孔５３の端部５３ｂに向けてガイドピン５０が摺動する際には、プラテンガラス６から背景板９が離間する。そして、図４（ｂ）に示したように、前記ガイドピン５０がガイド孔５３の端部５３ｂに到達した際には、ライン読取部８が露出した状態となる。このような軌道のガイド孔５３にガイドピン５０がガイドされるため、背景板９とプラテンガラス６との間に摩擦や接触が生じないようにスライド移動させることができる。なお、図３に示したように、ＡＤＦ３の後方にも前記規制手段６０と同様なガイドピン７１及びガイド孔７２からなる規制手段７０を設けることによって、背景板９の後方側でのプラテンガラス６への当接及び離間支持を確実に行うことができる。
【００２５】
背景切替手段４０及び規制手段６０，７０によって、原稿台１２上での原稿読取時には、ライン読取部８を含むシート読取部７全体が背景板９によって当接された状態で覆われることとなるので、原稿の一部が裏写りするようなことがなく、ムラのない背景処理を行うことができる。また、ＡＤＦ３によって原稿送りする際には、ライン読取部８を露出させるように背景板９がスライドすることで、自動送りした原稿の読み取り処理をスムーズに行うことができる。
【００２６】
なお、前記背景切替手段４０には、図５に示したように、前記カム４６と同軸上に配置される位置フラグ４８と、この位置フラグ４８を検出するセンサ４９が設けられている。そして、このセンサ４９によって、ＡＤＦ３による原稿送り動作が検出されると、背景板９がプラテンガラス６のライン読取部８を露出した位置に退避する。
【００２７】
図７は背景板９の先端部分にプラテンガラス６との離間状態を保持するための突起部６１を設ける一方、原稿台１２側には前記突起部６１と対応する凹部６２を設けた場合の例を示したものである。前記突起部６１は、原稿１枚分の厚みを有し、プラテンガラス６と当接する部分を避けた外周に設けられ、前記凹部６２は、プラテンガラス６を囲う原稿台１２の外周部に設けられる。前記突起部６１及びこの突起部６１に対応する凹部６２は、背景板９がプラテンガラス６の全面を覆う位置に合わせて形成される。
【００２８】
前記突起部６１を設けることによって、プラテンガラス６に背景部材９を当接させる間の摩擦を防止することができる。また、前記突起部６１に係合する凹部６２を原稿台１２側に設けることによって、背景部材９をプラテンガラス６上に密接するように載置することができると共に、原稿を読み取る際の背景板９の位置ずれを防止することができる。前記凹部６２は図２に示したように副走査方向Ｘに沿った端部に設けられ、突起部６１は前記凹部６２に係合した際、背景板９全体でシート読取部７を覆う位置に設定される。
【００２９】
また、前記背景板９の先端上部にテーパ面６３を設けることによって、図７（ａ），（ｂ）に示したように、弾性部材２９によって付勢されているマイラー２６と、ライン読取部８上に位置している原稿の読取搬送路２４とのスペースに背景板９の先端部を挿入させることが容易となり、遮光性を向上することができる。さらに、前記突起部６１と凹部６２の双方の側面に傾斜部６４を設けることによって、図７（ｂ）の状態から（ｃ）の状態に向けて係合する際や、図７（ｃ）の状態から（ｂ）の状態に向けて係合を解除する際の背景板９スライド移動をスムーズに行うことができる。
【符号の説明】
【００３０】
１  画像読取装置
２  本体部
３  ＡＤＦ（原稿送り手段）
４  画像読取部
５  読取キャリッジ
６  プラテンガラス
７  シート読取部
８  ライン読取部
９  背景板
１０  光源
１１  ミラー
１２  原稿台
１６  レンズ
１７  光電変換素子
２０  給紙トレイ
２２  排紙トレイ
２３  給紙路
２４  読取搬送路
２５  排紙路
２６  マイラー
２７  繰出ローラ
２８  給紙ローラ
２９  弾性部材
３０  レジストローラ対
３２  第１リードローラ対
３３  第２リードローラ対
３４  排紙ローラ対
４０  背景切替手段
４１  主軸
４２，４３，４４，４５  ギア
４６  カム
４７  シャフト
４８  位置フラグ
４９  センサ
５０  ガイドピン
５１  ガイド板
５２  側板
５３  ガイド孔
５４  取付板
６０  規制手段
６１  突起部
６２  凹部
６３  テーパ面
６４  傾斜部
７０  規制手段
７１  ガイドピン
７２  ガイド孔
【図１】
2015216559.tif 000003
【図２】
2015216559.tif 000004
【図３】
2015216559.tif 000005
【図４】
2015216559.tif 000006
【図５】
2015216559.tif 000007
【図６】
2015216559.tif 000008
【図７】
2015216559.tif 000009